(57)【要約】【課題】  特に対角軸上におけるパネルのフェース部内面からブレンドＲ部にかけての内面形状に改良を加えて、膜不良の発生を可及的に抑制し、パネルに高品質の画像が形成されるようにする。【解決手段】  陰極線管用ガラスパネル１の少なくとも対角軸ＤＡと管軸Ｚとを含む断面形状は、スカート部４内面からフェース部２内面までの領域に存するブレンドＲ部３内面を形成するブレンド曲線３ｂの管軸Ｚ側の端部Ｇ２が、フェース部２内面を形成するフェース内面曲線２ｆの管軸Ｚと反対側に向かう仮想延長線１０よりも封着端面８側で、偏倚接続線９の一端部Ｇ２に連なると共に、偏倚接続線９の他端部Ｇ１が、ブレンドＲ部３よりも管軸Ｚ側でフェース内面曲線２ｆに連なるように形成される。【選択図】図１
2007080518.tif 000002
【特許請求の範囲】
【請求項１】
有効画面を有する略矩形のフェース部と、該フェース部にブレンドＲ部を介して連なるスカート部とを備えてなり、前記スカート部の略矩形の開口端に封着端面を有する陰極線管用ガラスパネルにおいて、
少なくとも対角軸と管軸とを含む断面形状は、スカート部内面からフェース部内面までの領域に存するブレンドＲ部内面を形成するブレンド曲線の管軸側の端部が、前記フェース部内面を形成するフェース内面曲線の管軸と反対側に向かう仮想延長線よりも封着端面側で、偏倚接続線の一端部に連なると共に、該偏倚接続線の他端部が、前記ブレンドＲ部よりも管軸側で前記フェース内面曲線に連なっていることを特徴とする陰極線管用ガラスパネル。
【請求項２】
前記偏倚接続線の他端部が、前記ブレンドＲ部よりも管軸側に存する有効画面内の領域に連なっていることを特徴とする請求項１に記載の陰極線管用ガラスパネル。
【請求項３】
前記ブレンド曲線、偏倚接続線及びフェース内面曲線の全てが、凹状の湾曲線であると共に、前記偏倚接続線の平均曲率半径が、前記ブレンド曲線の平均曲率半径よりも大きく且つ前記フェース内面曲線の平均曲率半径よりも小さく設定されていることを特徴とする請求項１または２に記載の陰極線管用ガラスパネル。
【請求項４】
前記ブレンド曲線と偏倚接続線とが連なってなる連続曲線は、スカート部内面側からフェース部内面側に移行するに連れて、封着端面を含む平面から漸次遠ざかるように形成されていることを特徴とする請求項１〜３の何れかに記載の陰極線管用ガラスパネル。
【請求項５】
前記フェース内面曲線の仮想延長線から、管軸と平行な方向に沿って、前記ブレンド曲線と偏倚接続線との連接点に至る距離Ｚ0が、０．２ｍｍ以上で且つ１．２ｍｍ以下であることを特徴とする請求項４に記載の陰極線管用ガラスパネル。
【請求項６】
前記ブレンド曲線と偏倚接続線とが連なってなる連続曲線のうち、前記ブレンド曲線と偏倚接続線との連接点よりも管軸側の部位から、前記偏倚接続線とフェース内面曲線との連接点に至る部分曲線が、前記フェース内面曲線の仮想延長線よりも封着端面と反対側に位置していることを特徴とする請求項１〜３の何れかに記載の陰極線管用ガラスパネル。
【請求項７】
前記部分曲線における封着端面を含む平面から最も離反した部位から、管軸と平行な方向に沿って、前記ブレンド曲線と偏倚接続線との連接点に至る距離Ｚ1が、０．４ｍｍ以上で且つ１．５ｍｍ以下であることを特徴とする請求項６に記載の陰極線管用ガラスパネル。
【請求項８】
ブレンドＲ部を除外したフェース部内面の対角軸に沿う寸法をＶインチとした場合、ブレンドＲ部を除外したフェース部外面の平均曲率半径Ｒ0ｍｍは、管軸を通る何れの方向においても、５×（４２．５Ｖ＋４５）ｍｍ以上であり、且つ、スカート部の対角部を除外した長辺外面及び短辺外面の長手方向におけるそれぞれの平均曲率半径ＲL、ＲSは何れも、１０×（４２．５Ｖ＋４５）ｍｍ以上であることを特徴とする請求項１〜７の何れかに記載の陰極線管用ガラスパネル。
【発明の詳細な説明】
【技術分野】
【０００１】
本発明は、陰極線管用ガラスパネルに係り、特に、陰極線管用ガラスパネルのフェース部とスカート部との間におけるブレンドＲ部周辺の内面形状に関する。
【背景技術】
【０００２】
周知のように、カラーテレビ受像機等のディスプレイ装置に用いられる陰極線管は、主たるガラス部品として、画像が映し出される陰極線管用ガラスパネル（以下、単にパネルともいう）と、略漏斗状の陰極線管用ガラスファンネル（以下、単にファンネルともいう）とを備える。図５に示すように、パネル１は、画像を表示する有効画面を備えた略矩形のフェース部２と、該フェース部２にブレンドＲ部３を介して連なるスカート部４とを有する。スカート部４は、一対の長辺５と一対の短辺６とからなる計四つの辺、及び隣接する各辺を連結する計四つの対角部７から構成されると共に、スカート部４の開口端には、ファンネルとの封着に供される封着端面８が形成される。尚、図中、符号ＤＡは対角軸、符号ＬＡは長軸、符号ＳＡは短軸である。
【０００３】
一般に、パネル１は、プレス成型工程において、底型（ボトム金型）と側型（シェル金型）とから構成される受け型（雌金型）内に、溶融ガラス塊（以下、ゴブと称する）を供給し、これを押型（プランジャー金型）でプレスすることにより成型される。その後、パネル１に対しては、スカート部４の各辺５、６の内面部にスタッドピンを溶着するなどの工程が実行されるが、特にパネル１のフェース部２内面に対しては、３色蛍光体がストライプ状或いはドット状に配列されてなる蛍光膜を形成する工程が実行される。
【０００４】
この工程では、パネル１のフェース部２内面に対して、蛍光面が以下に示す手順で形成される。即ち、洗浄後に所定温度に保持されたパネルの内面にＰＶＡ（ポリビニルアルコール）やＰＶＰ（ポリビニルピロリドン）からなる紫外線硬化性の感光性樹脂を含む液を塗布し且つこれを乾燥させた後、スタッドピンを利用してシャドウマスクを取り付け、露光レンズを通して紫外線を照射させることにより感光させ、Ｒ、Ｇ、Ｂの３色の蛍光体に対応した位置に硬化膜を形成する。そして、その膜形成部位から非硬化部を除去した後、コントラストを向上させるための黒鉛粉末を含有してなるグラファイト（ブラックマトリックス、ＢＭ）コートを塗布し、その後に硬化膜のみを除去して、Ｒ、Ｇ、Ｂの３色の蛍光体に対応した所望の凹部を形成する。更に、この凹部に感光性の蛍光体スラリーを塗布し、Ｇ、Ｂ、Ｒの順に感光することにより、Ｒ、Ｇ、Ｂの３色の蛍光体が交互に並んだ蛍光膜を形成する。
【０００５】
このような膜形成に際しては、上述の何れの膜も、パネルのフェース部内面の中央（管軸）からブレンドＲ部周辺に至るまで、できる限り均一な厚みに形成することができれば、陰極線管の製作後にシャドウマスクの孔を通して電子ビームを照射した場合に色ずれや色むらが生じず好適である。このような高品位の画像を得るための膜厚の均一化については、上述の露光時における光強度のムラや、パネルのフェース部内面及びその周辺の表面粗さなどが影響を与えると考えられている。
【０００６】
この場合において、下記の特許文献１、２、３には、パネルの内面形状として、フェース部内面からブレンドＲ部を介してスカート部内面に滑らかに連なってなる形状が開示されている。また、これらの文献のうちの特許文献１には、フェース部内面における有効領域の形状を、管軸Ｚ、長軸Ｘ、短軸Ｙを直交３軸とする座標系により下記の数式（数１）で６次の多項式曲面として一般的に表わせることが開示されている。
【０００７】
z(x,y)＝a1x2＋a2x4＋a3x6＋a4y2＋a5x2y2＋a6x4y2＋a7x6y2＋a8y4＋a10x4y4＋a11x6y4＋a12y6＋a13x2y6＋a14x4y6＋a15x6y6…（数１）  ここで、ａ1〜ａ15は係数、ｘ、ｙはパネル中心軸を（０、０）とした時のｘ、ｙ寸法である。そして、ａ1〜ａ15の係数を所望の数値とすることにより、種々の内面形状を有するパネルが得られる。
【０００８】
【特許文献１】特開平１１−８６７５１号公報
【特許文献２】特開２０００−１４９８３０号公報
【特許文献３】特開２００２−５６７８７号公報
【発明の開示】
【発明が解決しようとする課題】
【０００９】
ところで、上記の特許文献１〜３に開示されているパネルの内面形状は、基本的には、図６に示すように、フェース部内面をなす曲面２Ｆの曲率半径が、管軸を中央としてブレンドＲ部３に至るまで一定の態様で変化し、その周端ＥでブレンドＲ部３を構成している相対的に曲率半径の小さい曲面３Ｂに滑らかに連なっている。換言すれば、フェース部内面は、上述の数１に代表される所定の数式で表わされる曲面２Ｆをなし、この曲面２Ｆの周端ＥにブレンドＲ部３を構成している曲面３Ｂが連接点Ｅで連なっていることになる。
【００１０】
このような事項を勘案すれば、従来におけるパネルのフェース部内面からブレンドＲ部までの内面形状は、上述のように所定の数式で表わされる第１の曲面と、ブレンドＲ部を構成している第２の曲面との２種類の曲面のみで実質的に形成されていることになる。このような事柄は、パネルのフェース部中央からスカート部の長辺及び短辺に至る部位のみならず、当然の事ながら、パネルのフェース部中央からスカート部の対角部に至る部位についても同様である。
【００１１】
このようなパネルの内面形状が一要因となるなどして、既述の高画質を得るための膜形成工程で、以下に示すような問題が生じる。即ち、パネルのフェース部内面におけるブレンドＲ部近傍の周端付近、特にスカート部の対角部周辺におけるフェース部内面の周端付近では、上述のブラックマトリックス膜の形成前に塗布される紫外線硬化膜の膜厚にバラツキが生じ易い。そして、特に上述のＰＶＰ膜の厚い部位と薄い部位との濃淡差に起因して、ＢＭ膜の筋状の膜不良（ムラ）が生じることがあるが、その原因は、ＰＶＰ膜が厚い部位では、シャドウマスクの孔を通して感光する時に樹脂の硬化が弱くなり、結果的にＢＭ膜を形成した時に均一な膜形成が行われないことによる。この筋状の膜不良は、フェース部内面の周端、つまり上述の第１の曲面２Ｆにおける第２の曲面３Ｂとの連接点Ｅよりも管軸側（中央側）に１〜１５ｍｍ程度離隔した位置の有効画面上に、例えばストライプと平行な向きに発生することが多く観察される。
【００１２】
ここで、上記の有効画面とは、ブレンドＲ部を構成している第２の曲面３Ｂの平均曲率半径をＲbとした場合に（図６参照）、第１の曲面２Ｆにおける連接点Ｅよりも管軸側にＲb／３だけ離隔した位置Ｅ１を終端として、その位置Ｅ１の管軸側の領域Ｙをいう。
【００１３】
そして、上記の筋状の膜不良が発生すれば、パネルのフェース部に画像を形成した場合に、膜不良の発生箇所における画像の形成が阻害され、画像精度や色強度の低下のみならず色ムラをも惹き起こし、不良品の多発を招く原因となる。特に、より画像の走査線数の多いハイビジョン対応の陰極線管の場合には、この種の局部的に微小な色変化が映像の解像度を低下させる要因となる。
【００１４】
この場合、上記の筋状膜不良の原因としては、パネルのフェース部内面における中央から対角部に至る部位において、露光時にレンズを通した光強度をフェース部内面の中央部と周端付近とで均一にすることが困難であったり、或いは周端付近におけるガラス内面の表面粗さが影響を及ぼすなど、様々な要因が考えられるが、種々の条件に基づき所望の形状や表面粗さを有するようにパネル内面が形成されている場合であっても、筋状膜不良が発生する場合がある。
【００１５】
この事を勘案して、本発明者等は、筋状膜不良の発生に関しては、パネルのフェース部内面（第１の曲面）からブレンドＲ部（第２の曲面）にかけての形状変化が不当に急激であり、これに起因して発生する塗布液の乱流が大きく影響していることを案出するに至った。即ち、従来におけるパネルのフェース部内面からブレンドＲ部までの形状は、上述の第１の曲面２Ｆと第２の曲面３Ｂとの２種類の曲面から主として形成され、この第１の曲面２Ｆから第２の曲面３Ｂにかけての形状変化（特に対角軸上での形状変化）が、筋状膜不良の原因となる塗布液の乱流を生じさせるほどまで不当に急激であることを見出すに至った。そして、従来においては、このようなパネル内面の急激な形状変化に対して、何ら対策が講じられていないのが実情である。
【００１６】
本発明は、上記事情に鑑みてなされたものであり、特に対角軸上におけるパネルのフェース部内面からブレンドＲ部にかけての内面形状に改良を加えて、膜不良の発生を可及的に抑制することを技術的課題とする。
【課題を解決するための手段】
【００１７】
上記技術的課題を解決するためになされた本発明は、本発明者等による既述の知見、即ちパネルのフェース部内面からブレンドＲ部にかけての内面形状の変化が不当に急激であることに起因して膜不良が発生するという知見に基づいて完成されたものである。
【００１８】
即ち、本発明は、有効画面を有する略矩形のフェース部と、該フェース部にブレンドＲ部を介して連なるスカート部とを備えてなり、前記スカート部の略矩形の開口端に封着端面を有する陰極線管用ガラスパネルにおいて、少なくとも対角軸と管軸とを含む断面形状は、スカート部内面からフェース部内面までの領域に存するブレンドＲ部内面を形成するブレンド曲線の管軸側の端部が、前記フェース部内面を形成するフェース内面曲線の管軸と反対側に向かう仮想延長線よりも封着端面側で、偏倚接続線の一端部に連なると共に、該偏倚接続線の他端部が、前記ブレンドＲ部よりも管軸側で前記フェース内面曲線に連なっていることに特徴づけられる。ここで、「フェース内面曲線の管軸と反対側に向かう仮想延長線」とは、既述の数１に代表される所定の数式により表わされる曲面に倣ってフェース内面曲線をその終端から延長した線を意味する。
【００１９】
このような構成によれば、パネルの特に対角軸と管軸とを含む断面形状において、ブレンドＲ部内面の形状に対応するブレンド曲線から、フェース部内面の形状に対応するフェース内面曲線に至るまでの複合曲線が、ブレンド曲線と、フェース内面曲線と、この両曲線の間に介在する偏倚接続線との３種の曲線から構成される。即ち、従来は、既述の数１に代表される所定の数式により表わされる曲面の形状に対応する第１の曲線と、ブレンドＲ部の形状に対応する第２の曲線との２種の曲線から主として構成されていた断面形状が、本発明では、３種の曲線から構成される断面形状となる。しかも、この３種の曲線のうち、ブレンド曲線の管軸側（フェース部中央側）の端部は、フェース内面曲線の管軸と反対側（ブレンドＲ部側）への仮想延長線よりも封着端面側で、偏倚曲線の一端部に連なり、且つ偏倚曲線の他端部はブレンドＲ部よりもフェース部中央側でフェース内面曲線に連なっている。詳述すると、フェース内面曲線は、ブレンドＲ部に達する手前に終端部を有し、このフェース内面曲線の終端部に偏倚接続線の始端部が連なり、偏倚接続線は、フェース内面曲線の仮想延長線よりも封着端面側を通過して、その終端部がブレンド曲線の始端部に連なっている。したがって、ブレンド曲線は、その全長に亘って、フェース内面曲線の仮想延長線よりも封着端面側に位置した状態で、偏倚接続線を介して、ブレンドＲ部よりもフェース部中央側に存するフェース内面曲線の終端部に連なっていることになる。このような状態で、フェース内面曲線とブレンド曲線との間に偏倚接続線が介在しているため、フェース部内面からブレンドＲ部にかけての内面形状に急激な変化が存在しない状態とすることができ、膜不良（筋状膜不良）の発生原因を除去することが可能となる。尚、このような断面形状は、パネルの管軸と対角軸とを含む断面に限らず、管軸と長軸とを含む断面及び管軸と短軸とを含む断面、さらには管軸を含むあらゆる方向の断面について同様であってもよい。
【００２０】
この場合、前記偏倚接続線の他端部（始端部）は、ブレンドＲ部よりも管軸側に存する有効画面内の領域に連なっていることが好ましい。
【００２１】
このようにすれば、偏倚接続線の始端部の位置、つまり偏倚接続線がフェース内面曲線に連なる位置は、フェース部内面における有効画面内の領域となる。詳述すると、フェース内面曲線は、有効画面の領域内に終端部を有し、この終端部に、偏倚接続線の始端部が連なっていることになる。したがって、フェース内面曲線の終端部付近（つまり有効画面の端部付近）では、偏倚接続線の存在により、形状変化が不当に急激となることが回避されて、有効画面の領域内に膜不良が生じ難くなる。この場合、偏倚接続線の始端部（偏倚接続線とフェース内面曲線との連接部）は、ブレンド曲線の始端部（ブレンドＲ部の管軸側の端部）から管軸側に向かって５ｍｍ以上で且つ３０ｍｍ以下の位置に存在していることが好ましい。即ち、この距離が５ｍｍ未満であると、フェース部からブレンドＲ部にかけての内面形状が急激に変化するおそれがあり、また３０ｍｍを超えると、有効画面の形状が広い領域に亘って偏倚することに起因して画像特性に悪影響を及ぼすおそれがある。したがって、この距離は、上記の数値範囲内にあることが好適である。
【００２２】
また、前記ブレンド曲線、偏倚接続線及びフェース内面曲線の全てが、凹状の湾曲線であると共に、前記偏倚接続線の平均曲率半径が、前記ブレンド曲線の平均曲率半径よりも大きく且つ前記フェース内面曲線の平均曲率半径よりも小さく設定されていることが好ましい。
【００２３】
このようにすれば、フェース内面曲線の終端部と、フェース内面曲線の仮想延長線よりも封着端面側に存するブレンド曲線の始端部とを、偏倚接続線を介在させて繋げるに際して、急激な形状変化を招くことなく滑らかに繋げる上で有利となる。ここで、平均曲率半径とは、ブレンド曲線、偏倚接続線及びフェース内面曲線が、それぞれ複数の曲率半径からなる複数の円弧を連ならせたものである場合には、その複数の曲率半径の平均値を意味し、また、それぞれ単一の曲率半径からなる単一の円弧である場合には、その単一の曲率半径を意味する。
【００２４】
以上の構成において、前記ブレンド曲線と偏倚接続線とが連なってなる連続曲線は、スカート部内面側からフェース部内面側に移行するに連れて、封着端面を含む平面から漸次遠ざかるように形成することができる。
【００２５】
このようにすれば、連続曲線の形状を簡単化できることになるため、金型の設計の容易化等を図ることができる。
【００２６】
連続曲線をこのような形状とした場合には、前記フェース内面曲線の仮想延長線から、管軸と平行な方向に沿って、前記ブレンド曲線と偏倚接続線との連接点に至る距離Ｚ0が、０．２ｍｍ以上で且つ１．２ｍｍ以下であることが好ましい。
【００２７】
即ち、上記の距離Ｚ0が０．２ｍｍ未満であると、ブレンド曲線とフェース内面曲線との間に偏倚接続線を介在させていても、ブレンド曲線の始端部をフェース内面曲線に直接的に連接させた場合と大差がなくなり、急激な形状変化に伴う膜不良の発生を適切に阻止できなくなるおそれがある。また、上記の距離Ｚ0が１．２ｍｍを超えると、膜の塗布を封着端面が下向きの状態にあるパネルに対して行う場合に、膜がブレンドＲ部にまで形成されて、既述のストライプが曲がる等により画像に歪が生じ或いは色ずれを惹き起こすおそれがある。したがって、この距離Ｚ0が、上記の範囲内にあれば、このような不具合が生じず好適である。
【００２８】
また、前記ブレンド曲線とフェース内面曲線とが連なってなる連続曲線のうち、前記ブレンド曲線と偏倚接続線との連接点よりも管軸側の部位から、前記偏倚接続線とフェース内面曲線との連接点に至る部分曲線を、前記フェース内面曲線の仮想延長線よりも封着端面と反対側に位置させることもできる。
【００２９】
このようにすれば、フェース内面曲線の仮想延長線と偏倚接続線とが交差することになり、しかもその交点を、ブレンド曲線の始端部に近づけることが可能となるため、フェース部内面の有効画面の領域が、偏倚接続線を設けたことによる影響を受け難くなる。これにより、既述の数１に代表される所定の数式に基づくフェース部内面の有効画面の形状に相応して設計されたシャドウマスク（またはアパーチャグリル）の形状が、当該有効画面の形状と大きく相違することを有効に阻止することができ、不良が存在しない良質の膜を形成する上で有利となる。
【００３０】
連続曲線をこのような形状とした場合には、前記部分曲線における封着端面を含む平面から最も離反した部位から、管軸と平行な方向に沿って、前記ブレンド曲線と偏倚接続線との連接点に至る距離Ｚ1が、０．４ｍｍ以上で且つ１．５ｍｍ以下であることが好ましい。
【００３１】
即ち、上記の距離Ｚ1が０．４ｍｍ未満であると、ブレンド曲線とフェース内面曲線との間に偏倚接続線を介在させていても、ブレンド曲線の始端部をフェース内面曲線に直接的に連接させた場合と大差がなくなり、急激な形状変化に伴う膜不良の発生を適切に阻止できなくなるおそれがある。また、上記の距離Ｚ1が１．５ｍｍを超えると、膜がブレンドＲ部にまで形成されて、既述のストライプが曲がる等により画像に歪が生じ或いは色ずれを惹き起こすおそれがあることに加えて、フェース部内面の有効画面の形状と、シャドウマスク（またはアパーチャグリル）の形状とが大きく相違することになり、良質の膜を形成できなくなるおそれがある。したがって、この距離Ｚ1が、上記の数値範囲内にあれば、このような不具合が生じず好適である。
【００３２】
以上の構成において、ブレンドＲ部を除外したフェース部内面の対角軸に沿う寸法をＶインチとした場合、ブレンドＲ部を除外したフェース部外面の平均曲率半径Ｒ0ｍｍは、管軸を通る何れの方向においても、５×（４２．５Ｖ＋４５）ｍｍ以上であり、且つ、スカート部の対角部を除外した長辺外面及び短辺外面の長手方向におけるそれぞれの平均曲率半径ＲL、ＲSは何れも、１０×（４２．５Ｖ＋４５）ｍｍ以上であることが好ましい。
【００３３】
このようにすれば、パネルの内面形状が改良されるのみならず、外面形状についても、フェース部外面のフラット化、並びに長辺の外面及び短辺の外面のフラット化が適切なものとなり、ひいてはキャビネットの開口部も不当に湾曲したものとはならず、その製作容易化及び外観性の向上等が図られる。
【発明の効果】
【００３４】
以上のように本発明によれば、少なくとも対角軸と管軸とを含むパネルの断面形状において、ブレンドＲ部内面を形成するブレンド曲線が、フェース部内面を形成するフェース内面曲線の仮想延長線よりも封着端面側を通る偏倚接続線を介して、ブレンドＲ部よりも中央側に存するフェース内面曲線の終端部に連なっていることから、フェース部内面からブレンドＲ部にかけての内面形状に急激な変化が存在しない状態とすることができ、膜不良の発生原因を除去することが可能となる。
【発明を実施するための最良の形態】
【００３５】
以下、本発明の実施形態を添付図面を参照して説明する。図１は、本発明の第１実施形態に係るパネルであって、封着端面を下向きとした状態を示し且つ対角軸と管軸とを含む当該パネルの要部概略断面図、図２は、同じくそのパネルの要部概略断面図、図３は、そのパネルの封着端面を上向きとした状態を示す概略平面図である。尚、図１〜図３に示すパネルは、その基本的な構成要素が、図５及び図６に示す従来のパネルと同一であるので、この両者に共通の基本的な構成要素については同一符号を付し、その詳細な説明を省略する。
【００３６】
図１に示すように、対角軸ＤＡと管軸Ｚとを含むパネル１の断面形状は、フェース部２内面からスカート部４内面に至る複合曲線が、フェース部２内面に対応するフェース内面曲線２ｆと、ブレンドＲ部３内面に対応するブレンド曲線３ｂと、これらの両曲線２ｆ、３ｂを接続する偏倚接続線９とから構成される。詳述すると、この複合曲線は、フェース内面曲線２ｆの終端部と偏倚接続線９の始端部とが連接点Ｇ１で屈曲することなく滑らかに連なると共に、偏倚接続線９の終端部とブレンド曲線３ｂの始端部とが連接点Ｇ２で屈曲することなく滑らかに連なっている。
【００３７】
更に、この複合曲線は、スカート部４内面側からフェース部２内面側に移行するに連れて、封着端面８を含む平面Ｐから漸次遠ざかるように形成され、換言すれば、２次微分成分が正である単調減少曲線とされている。そして、フェース内面曲線２ｆと偏倚接続線９との連接点Ｇ１は、フェース部２内面の有効画面の領域Ｙ内、この実施形態では、ブレンド曲線３ｂの始端部Ｇ２から５ｍｍ以上で且つ３０ｍｍ以下の範囲内に存在している。
【００３８】
この場合、ブレンド曲線３ｂ、偏倚接続線９及びフェース内面曲線２ｆは、全てが凹状（詳しくは、フェース部２外面側に向かって窪んだ状態）の湾曲線である。そして、偏倚接続線９の曲率半径Ｒ9（又は平均曲率半径）は、ブレンド曲線３ｂの曲率半径Ｒb（又は平均曲率半径）よりも大きく、且つ、フェース内面曲線２ｆの曲率半径Ｒf（又は平均曲率半径）よりも小さく設定されている。
【００３９】
更に、偏倚接続線９とブレンド曲線３ｂとの連接点Ｇ２は、フェース内面曲線２ｆを管軸Ｚと反対側に仮想的に延長してなる仮想延長線１０よりも封着端面８側に位置している。この連接点Ｇ２と仮想延長線１０との距離（管軸Ｚと平行な方向に沿う距離）Ｚ0は、０．２ｍｍ以上で且つ１．２ｍｍ以下、好ましくは０．５ｍｍ以上で且つ１．０ｍｍ以下とされている。尚、この実施形態では、フェース部２内面が、既述の数１に基づいて形成される関係上、上記の仮想延長線１０は、この数１より表わされる曲面から得られた曲線であるが、この数１以外であっても、これに準じる数式に基づいてフェース部２が形成されるのであれば、そのような数式により表わされる曲面から得られる曲線が、上記の仮想延長線１０となる。
【００４０】
一方、パネル１の外面形状は、図２に示すように、ブレンドＲ部３を除外したフェース部２内面の対角軸ＤＡに沿う寸法をＶインチとすれば、ブレンドＲ部３を除外したフェース部２外面の平均曲率半径Ｒ0ｍｍは、管軸Ｚを通る何れの方向においても、５×（４２．５Ｖ＋４５）ｍｍ以上とされている。
【００４１】
更に、パネル１のスカート部４に関しては、図３に示すように、同じく上記の寸法をＶインチとすれば、スカート部４の対角部７を除外した長辺５外面及び短辺６外面の長手方向におけるそれぞれの平均曲率半径ＲL、ＲSは何れも、１０×（４２．５Ｖ＋４５）ｍｍ以上とされている。
【００４２】
以上のような構成とされたパネル１によれば、フェース部２内面からブレンドＲ部３内面にかけて、形状の変化を緩やかにすることができる。すなわち、図１に鎖線で示す従来の内面形状によれば、ブレンドＲ部の周辺で曲率半径が急激に小さくなり、これに伴って、内面形状も急激に変化するため、この内面への膜の塗布工程で塗布液の乱流が生じ、膜不良の発生確率が高くなることを余儀なくされる。しかしながら、本発明の第１実施形態によるパネル１の内面形状は、ブレンド曲線３ｂの始端部から偏倚接続線９を介してフェース内面曲線２ｆに緩やかに連続しており、偏倚接続線９は、ブレンド曲線３ｂの始端部からフェース内面曲線２ｆ側に移行するに連れてフェース部２外面に漸次近づき、且つ偏倚接続線９の平均曲率半径Ｒ9は、ブレンド曲線３ｂのそれよりも大きくフェース内面曲線２ｆのそれよりも小さいことから、当該部位の内面形状は急激に変化していない。しかも、このような内面形状であると、既述の数１またはこれに準じる数式に基づいて決まる形状、ひいてはこれに相応して設計されるシャドウマスク（或いはアパーチャグリル）の形状と不当に大きく相違しないことになるため、膜不良の発生を可及的に抑制しつつパネル１のフェース部２に映し出される画像の品位を良好に維持することが可能となる。
【００４３】
図４は、本発明の第２実施形態に係るパネルであって、封着端面を下向きとした状態を示し且つ対角軸と管軸とを含む当該パネルの要部概略断面図である。この第２実施形態に係るパネル１が、上述の第１実施形態に係るパネル１と相違している点は、ブレンド曲線３ｂと偏倚接続線９とが連なってなる連続曲線のうち、ブレンド曲線３ｂと偏倚接続線９との連接点Ｇ２よりも管軸Ｚ側の部位Ｇ３から、偏倚接続線９とフェース内面曲線２ｆとの連接点Ｇ１に至る部分曲線９ｘが、フェース内面曲線２ｆの仮想延長線１０よりも封着端面８と反対側に位置している点である。この場合、封着端面８を含む平面Ｐに対して部分曲線９ｘが最も離反した部位９ｐから、管軸Ｚと平行な方向に沿って、ブレンド曲線３ｂと偏倚接続線９との連接点Ｇ２に至る距離Ｚ1は、０．４ｍｍ以上で且つ１．５ｍｍ以下、好ましくは０．７ｍｍ以上で且つ１．３ｍｍ以下とされている。尚、上記の連接点Ｇ２と仮想延長線１０との距離Ｚ0は、この数値範囲内において、０．２ｍｍ以上で且つ１．２ｍｍ以下、好ましくは０．５ｍｍ以上で且つ１．０ｍｍ以下とされている。この第２実施形態に係るパネル１の内面形状によれば、形状の急激な変化をより効率良く緩和することができ、膜不良等の不具合を回避する上で極めて有利となる。
【実施例】
【００４４】
本発明の実施例１〜６として、対角軸ＤＡと管軸Ｚとを含む断面において、ブレンド曲線３ｂの平均曲率半径Ｒbが６〜７．５ｍｍ、偏倚接続線９の平均曲率半径Ｒ9が１０〜２２５ｍｍ、図１に示す距離Ｚ0が０．２〜１．５ｍｍ、図４に示す距離Ｚ1が０．２〜１．５ｍｍとなる６種類のパネルを作製した。また、比較例１として、ブレンド曲線３ｂの平均曲率半径Ｒbが６ｍｍ、図１に示す距離Ｚ0及び図４に示す距離Ｚ1が何れも０ｍｍであって、偏倚接続線９の存在しないパネルを作製した。そして、それらの膜不良発生の状態について検査を行った。その検査結果を下記の表１に示す。尚、これらのパネルは何れも、２９インチ（対角内面有効径：６８ｃｍ、２７Ｖ）であって、フェース部２外面の管軸Ｚを通る平均曲率半径を何れの方向にも５００００ｍｍとし、且つ、対角軸ＤＡと管軸Ｚとを含む断面におけるフェース内面曲線２ｆの平均曲率半径を４５００ｍｍとした。尚、下記の表１中、○印は極めて良好、△印はやや良好、×印は不良であることを意味する（下記の表２についても同様）。
【００４５】
【表１】
2007080518.tif 000003
【００４６】
上記の表１を参酌すれば、本発明の実施例１〜５は、膜不良の問題は全く生じず、また実施例６は、僅かに膜不良が生じたものの問題となる程度ではなかったのに対して、比較例１は、膜不良の致命的な問題が生じた。
【００４７】
次に、本発明の実施例７〜１１として、対角軸ＤＡと管軸Ｚとを含む断面において、ブレンド曲線３ｂの平均曲率半径Ｒbが７ｍｍ、偏倚接続線９の平均曲率半径Ｒ9が１０．５〜２００ｍｍ、図１に示す距離Ｚ0が０．２〜０．８ｍｍ、図４に示す距離Ｚ1が０．２〜０．８ｍｍとなる６種類のパネルを作製した。また、比較例２として、ブレンド曲線３ｂの平均曲率半径Ｒbが６ｍｍ、図１に示す距離Ｚ0及び図４に示す距離Ｚ1が何れも０ｍｍであって、偏倚接続線９の存在しないパネルを作製した。そして、それらの膜不良発生の状態について検査を行った。その検査結果を下記の表２に示す。尚、これらのパネルは何れも、２１インチ（対角内面有効径：５１ｃｍ、２０Ｖ）であって、管軸Ｚと対角軸ＤＡとを含む断面におけるフェース部２外面の平均曲率半径を３００００ｍｍとし、且つ、対角軸ＤＡと管軸Ｚとを含む断面におけるフェース内面曲線２ｆの平均曲率半径を３０００ｍｍとした。
【００４８】
【表２】
2007080518.tif 000004
【００４９】
上記の表２を参酌すれば、本発明の実施例７〜１０は、膜不良の問題は全く生じず、また実施例１１は、僅かに膜不良が生じたものの問題となる程度ではなかったのに対して、比較例２は、膜不良の致命的な問題が生じた。
【図面の簡単な説明】
【００５０】
【図１】本発明の第１実施形態に係る陰極線管用ガラスパネルであって、封着端面を下向きとした状態を示し且つ対角軸と管軸とを含む当該パネルの要部概略断面図である。
【図２】前記陰極線管用ガラスパネルのより広い範囲を示す要部概略断面図である。
【図３】前記陰極線管用ガラスパネルの封着端面を上向きとした状態を示す概略平面図である。
【図４】本発明の第２実施形態に係るパネルであって、封着端面を下向きとした状態を示し且つ対角軸と管軸とを含む当該パネルの要部概略断面図である。
【図５】一般的な陰極線管用ガラスパネルを示す概略斜視図である。
【図６】従来の陰極線管用ガラスパネルであって、封着端面を下向きとした状態を示し且つ対角軸と管軸とを含む当該パネルの要部概略断面図である。
【符号の説明】
【００５１】
１  パネル（陰極線管用ガラスパネル）
２  フェース部
２ｆ  フェース内面曲線
３  ブレンドＲ部
３ｂ  ブレンド曲線
４  スカート部
５  長辺
６  短辺
８  封着端面
９  偏倚接続線
９ｘ  部分曲線
ＤＡ  対角軸
Ｒb  ブレンドＲ部の曲率半径
Ｒf  フェース内面曲線の曲率半径
Ｒ9  偏倚接続線の曲率半径
【図１】
2007080518.tif 000005
【図２】
2007080518.tif 000006
【図３】
2007080518.tif 000007
【図４】
2007080518.tif 000008
【図５】
2007080518.tif 000009
【図６】
2007080518.tif 000010